(57)【要約】      （修正有）【課題】装置の内部における水滴音の発生を防止するペット飲用器具を提供する。【解決手段】ペット飲用器具は、ペット飲用器具本体を含み、ペット飲用器具本体は、貯水タンク、飲用トレイおよび濾過装置を含み、濾過装置は飲用トレイと貯水タンクの間に設けられ飲用トレイから貯水タンクに戻る水を濾過し、濾過装置に緩衝分流構造が設けられる。緩衝分流構造は、フィルタープレート３３の下部に第１分流ブロック３５を有し、濾過装置から流出した水を駆動して貯水タンクの内壁に沿って貯水タンクに流入させる。濾過された水が直接貯水タンク内に落ちて水滴の音を発生させず、ペット飲用器具のノイズを減らすことができる。【選択図】図５
0003227834.tif 000002
【実用新案登録請求の範囲】
【請求項１】
ペット飲用器具本体を含み、前記ペット飲用器具本体は、貯水タンク、飲用トレイおよび濾過装置を含み、前記濾過装置が前記飲用トレイと前記貯水タンクの間に設けられ飲用トレイから貯水タンクに戻る水を濾過し、前記濾過装置に緩衝分流構造が設けられ、前記緩衝分流構造は前記濾過装置から流出した水を駆動して前記貯水タンクの内壁に沿って前記貯水タンクに流入させることを特徴とするペット飲用器具。
【請求項２】
前記濾過装置は、フィルタープレートと、箱口がともに頂部に位置する上部箱体および下部箱体を含み、前記上部箱体が前記下部箱体の箱口に設けられ、前記上部箱体の箱底は前記下部箱体の箱口を密閉し、前記上部箱体の箱底に複数の水路が設けられ、該上部箱体の箱口が前記飲用トレイと連通し、前記下部箱体の側壁開口が前記濾過装置の水出口を形成し、前記フィルタープレートが前記開口に係合され前記上部箱体の下方に位置し、前記フィルタープレートと前記下部箱体の箱底および前記下部箱体の側壁によって前記緩衝分流構造を形成し、前記濾過装置が前記貯水タンク内に配置され前記水出口が前記貯水タンクの一方の内壁に近接することを特徴とする請求項１に記載のペット飲用器具。
【請求項３】
前記下部箱体の箱底に複数の第１の分流ブロックが垂直にかつ間隔を置いて設けられ、前記第１の分流ブロックは前記水出口から前記下部箱体の内部に向かって延伸し、前記フィルタープレートが前記第１の分流ブロックの上端に配置されることを特徴とする請求項２に記載のペット飲用器具。
【請求項４】
前記下部箱体の箱底の上面は前記水出口に向かって傾斜する傾斜面であることを特徴とする請求項３に記載のペット飲用器具。
【請求項５】
前記飲用トレイの底壁に周囲リングが突出して設けられ、前記上部箱体の側壁が前記周囲リング上に着脱可能に配置され、前記飲用トレイの底部に水戻し口が貫通して設けられ、該水戻し口が前記上部箱体の箱口の上方に位置し、前記飲用トレイの底壁に前記水戻し口に接続される第２の分流ブロックが垂直に間隔を置いて設けられることを特徴とする請求項４に記載のペット飲用器具。
【請求項６】
前記ペット飲用器具本体は、給水ポンプをさらに含み、前記給水ポンプが前記貯水タンク内に配置され、前記飲用トレイ上に水入口が設けられ、前記水入口が水管を介して前記給水ポンプの出水端と連通し、前記水入口の高さが前記水戻し口の高さよりも高いことを特徴とする請求項５に記載のペット飲用器具。
【請求項７】
ハウジングをさらに含み、前記ハウジングは前記貯水タンクの側壁および底部を覆い前記貯水タンクに着脱可能に接続され、貯水タンク上に電気コネクタプラグが設けられ、前記電気コネクタプラグが前記給水ポンプに電気的に接続され、前記ハウジング上に電気コネクタソケットが設けられ、前記電気コネクタソケットが電源に電気的に接続され、前記貯水タンクが前記ハウジングに配置されると、前記電気コネクタソケットが前記電気コネクタプラグと接触して通電することを特徴とする請求項６に記載のペット飲用器具。
【請求項８】
前記フィルタープレートの前記水出口に近い一端に昇降ブロックが設けられ、前記下部箱体の底壁の前記昇降ブロックに真向かう位置に前記昇降ブロックを収容するための退避溝が設けられることを特徴とする請求項２から５のいずれか１項に記載のペット飲用器具。
【請求項９】
前記周囲リングの側壁にバックル溝が設けられ、前記上部箱体の側壁にバックルストリップが設けられ、前記バックルストリップが前記バックル溝内に係合されることを特徴とする請求項５に記載のペット飲用器具。
【請求項１０】
前記飲用トレイにハンドルが設けられることを特徴とする請求項７に記載のペット飲用器具。
【考案の詳細な説明】
【技術分野】
【０００１】
本考案は、ペット用品の技術分野に関し、特にペット飲用器具に関する。
【背景技術】
【０００２】
人々の生活水準の向上に伴い、家庭でペットを飼うことを選択する人がますます増えているが、ペットを飼育する過程では、ペット用の飲用器具を使用する必要があり、出願番号ＣＮ１０８６３３７６７Ａの発明は、水循環システムを含む飲用器具を開示し、給水ポンプはペットの飲用のために貯水タンク内の水を飲用トレイに抽出し、飲用トレイ上に水出口が設けられ、飲用トレイ上の水が水出口から濾過装置に流れ込んでから貯水タンクに戻り、濾過装置が貯水タンクの箱口の上方に設けられ、該濾過装置上に水を緩衝または案内する装置がないため、水が濾過箱から出た後直接貯水タンクの水面に滴下し、継続的にノイズを発生して人々の生活環境に悪影響を及ぼす。したがって、水の滴下音が発生しないペット飲用器具を設計する必要がある。
【考案の概要】
【考案が解決しようとする課題】
【０００３】
上記の従来技術における問題に鑑みて、本考案は、従来技術におけるペット飲用器具の水が貯水タンクに戻るとき水の滴下音が発生する技術的問題を解決するペット飲用器具を提供する。
【課題を解決するための手段】
【０００４】
本考案の技術的解決策は以下の通りである。ペット飲用器具はペット飲用器具本体を含み、前記ペット飲用器具本体は、貯水タンク、飲用トレイおよび濾過装置を含み、前記濾過装置が前記飲用トレイと前記貯水タンクの間に設けられ飲用トレイから貯水タンクに戻る水を濾過し、前記濾過装置に緩衝分流構造が設けられ、前記緩衝分流構造は前記濾過装置から流出した水を駆動して前記貯水タンクの内壁に沿って前記貯水タンクに流入させることを特徴とする。
【０００５】
好ましくは、前記濾過装置は、フィルタープレートと、箱口がともに頂部に位置する上部箱体および下部箱体を含み、前記上部箱体が前記下部箱体の箱口に配置され前記上部箱体の箱底は前記下部箱体の箱口を密閉し、前記上部箱体の箱底に複数の水路が設けられ該上部箱体の箱口が前記飲用トレイと連通し、前記下部箱体の側壁の開口が前記濾過装置の水出口を形成し、前記フィルタープレートが前記開口に係合され前記上部箱体の下方に位置し、前記フィルタープレートと、前記下部箱体の箱底および前記下部箱体の側壁で前記緩衝分流構造を形成し、前記濾過装置が前記貯水タンク内に配置され前記水出口が前記貯水タンクの一方の内壁に近接する。
【０００６】
好ましくは、前記下部箱体の箱底に複数の第１の分流ブロックが垂直に間隔を置いて設けられ、前記第１の分流ブロックが前記水出口から前記下部箱体に向かって延伸し、前記フィルタープレートが前記第１の分流ブロックの上端に配置される。
【０００７】
好ましくは、前記下部箱体の箱底の上面が前記水出口に向かって傾斜する傾斜面である。
【０００８】
好ましくは、前記飲用トレイの底壁に周囲リングが突出して設けられ、前記上部箱体の側壁が着脱可能に前記周囲リングに取り付けられ、前記飲用トレイの底部に水戻し口が貫通して設けられ、該水戻し口が前記上部箱体の箱口の上方に位置し、前記飲用トレイの底壁に前記水戻し口に接続される複数の第２の分流ブロックが垂直に間隔を置いて設けられる。
【０００９】
好ましくは、前記ペット飲用器具本体は、給水ポンプをさらに含み、前記給水ポンプが前記貯水タンク内に取り付けられ、前記飲用トレイに水入口が設けられ、前記水入口が水管を介して前記給水ポンプの出水端と連通し、前記水入口の高さが前記水戻し口の高さよりも高い。
【００１０】
好ましくは、ハウジングをさらに含み、前記ハウジングは、前記貯水タンクの側壁および底部を覆い前記貯水タンクに着脱可能に接続され、貯水タンク上に電気コネクタプラグが設けられ、前記電気コネクタプラグが前記給水ポンプに電気的に接続され、前記ハウジング上に電気コネクタソケットが設けられ、前記電気コネクタソケットが電源に電気的に接続され、前記貯水タンクが前記ハウジングに取り付けられると、前記電気コネクタソケットが前記電気コネクタプラグに接触する。
【００１１】
好ましくは、前記フィルタープレート上の前記水出口に近い一端に昇降ブロックが設けられ、前記下部箱体の底壁の前記昇降ブロックに対向する位置に前記昇降ブロックを収容するための退避溝が設けられる。
【００１２】
好ましくは、前記周囲リングの側壁上にバックル溝が設けられ、前記上部箱体の側壁にバックルストリップが突出して設けられ、前記バックルストリップが前記バックル溝内に係合される。
【００１３】
好ましくは、前記飲用トレイ上にハンドルが設けられる。
【００１４】
本考案の有益な効果は以下の通りである。濾過装置において、緩衝分流構造を追加することで、飲用トレイから戻った水は、濾過装置から直接貯水タンクに流下する代わりに、貯水タンクの内壁に沿って流下することで、直接貯水タンクの水面に流下する水流に起因する連続的な水滴音を回避することができる。
【考案の効果】
【００１５】
また、本考案の好ましい技術的解決策は、以下のような技術的効果も達成することができる。
【００１６】
１．濾過装置は、フィルタープレートと、箱口がすべて頂部に位置する上部箱体および下部箱体を含み、上部箱体の箱底が下部箱体の箱口を密閉し、下部箱体の一方の側壁の開口が濾過装置の水出口を形成し、水出口が貯水タンクの一方の内壁の近くに設けられ、フィルターが開口に係合され、且つ、上部箱体の底部に水路が設けられ、下部箱体の底部の代わりに開口が下部箱体の一方の側壁に設けられ、下部箱体の底部と他の側壁によって水流が緩衝され、方向が変更され、水流が貯水タンクの内壁へ流れる。
【００１７】
２．下部箱体の箱底に複数の第１の分流ブロックが垂直に間隔を置いて設けられ、且つ第１の分流ブロックは水出口から下部箱体に向かって延伸し、下部箱体の側壁に接続され、フィルターが第１の分流ブロックの上端に配置され、ここで、コアンダ効果を利用して、水流がフィルタープレートを浸透した後、直接下部箱体の箱底に滴下せず、第１の分流ブロックの外壁に沿って流下するため、濾過装置の内部の水滴音を回避することができる。
【００１８】
３．下部箱体の箱底の上端面は水出口に向かって傾斜する傾斜面であるため、水流が下部箱体の箱底に到達した後、傾斜する傾斜面に沿って貯水タンクの側壁へ流れる。
【００１９】
４．飲用トレイの底壁上に複数の第２の分流ブロックが設けられ、第２の分流ブロックもコアンダ効果を利用し、飲用トレイから戻った水は、水戻し口から直接上部箱体に滴下しノイズが発生するのではなく、第２の分流ブロックに沿って流れる。
【図面の簡単な説明】
【００２０】
本考案の実施例または従来技術の技術的解決策をより明確に説明するために、以下では、実施例または従来技術の説明で使用される図面を簡単に説明するが、以下の図面は本考案のいくつかの実施例に過ぎず、当業者であれば、創造的な労働をせずにこれらの図面に基づいて他の図面を得ることができる。
【図１】本考案の第１実施例によるペット飲用器具の全体構造の概略図の一例である。
【図２】図１の断面図の一例である。
【図３】本考案のいくつかの実施例によるペット飲用器具が備えるハウジングと貯水タンクを分離した後の構造概略図の一例である。
【図４】図３のハウジングが取り外された後の断面図の一例である。
【図５】本考案の第２実施例によるペット飲用器具が備える濾過装置の構造概略図の一例である。
【図６】図３の断面図の一例である。
【図７】本考案の第４実施例によるペット飲用器具が備える飲用トレイの構造概略図の一例である。
【考案を実施するための形態】
【００２１】
本考案の目的、技術的解決策および利点をより明確にするために、本考案の技術的解決策を以下詳細に説明する。明らかに、説明される実施例は、本考案の一部の実施例に過ぎず、すべての実施例ではない。本考案の実施例に基づいて、創造的な労働をせずに当業者によって得られたすべての他の実施形態は、本考案の保護範囲に含まれる。
【００２２】
実施例１
図１〜図７に示すように、本考案の一実施例によるペット飲用器具は、ペット飲用器具本体を含み、前記ペット飲用器具本体は、貯水タンク１、飲用トレイ２、濾過装置３を含み、飲用トレイ２上に飲用トレイ２の余分の水を貯水タンク１へ戻すための水戻し口２１が設けられ、前記濾過装置３が前記飲用トレイ２と前記貯水タンク１の間に設けられ飲用トレイ２から貯水タンク１に戻った水を濾過する。本実施例では、飲用トレイ２が貯水タンク１の箱口に配置され、貯水タンク１の上端が開口し、内部に貯水室を有し、飲用トレイ２は中心が窪んだ湾曲トレイであり、濾過装置３が貯水タンク１内部に配置され、濾過装置３に緩衝分流構造が設けられ、緩衝分流構造は濾過装置３から流出した水を駆動して貯水タンク１内壁に沿って貯水タンク１に流入させ、飲用トレイ２から戻った水は、濾過装置３から直接貯水タンク１に流下する代わりに貯水タンク１の内壁に沿って流下し、それにより、貯水タンク１の水面への水の流れに起因して連続的な水滴音が発生することを回避することができる。
【００２３】
ペット飲用器具で自動水循環を形成して、ペットに連続的に飲用水を供給するために、ペット飲用器具は給水ポンプ４をさらに含み、給水ポンプ４は貯水タンク１内に配置され、飲用トレイ２上に水入口２２が設けられ、水入口２２が水管４１を介して給水ポンプ４の出水端と連通し、貯水タンク１内部の水がペットの飲用のために給水ポンプ４および水管４１を介して水入口２２に入り、飲用トレイ２に流入し、そして水が水戻し口２１を介して濾過装置３に入り濾過され、濾過された水が再び貯水タンク１に流入して、完全な水循環システムを形成し、給水ポンプ４が回路を介して電源に電気的に接続される。
【００２４】
好ましくは、前記水入口２２の高さが前記水戻し口２１の高さよりも高く、このようにして、ペットが飲用した水が水入口２２から直接貯水タンク１に戻ることなく、水戻し口２１から濾過装置３に入り濾過された後貯水タンク１に流入するようになる。
【００２５】
実施例２
本実施例は実施例１の具体的な実施態様であり、図５に示すように、濾過装置３はフィルタープレート３３と、箱口がすべて頂部に位置する上部箱体３１および下部箱体３２を含み、上部箱体３１および下部箱体３２はともに硬質プラスチック製であり、上部箱体３１が下部箱体３２の箱口に配置され上部箱体３１の箱底が下部箱体３２の箱口を密閉し、上部箱体３１および下部箱体３２の間の接続方式は一体成形または接着方式であり、上部箱体３１の箱底に複数の水路３４が設けられ該上部箱体３１の箱口が飲用トレイ２と連通し、下部箱体３２の側壁の開口が濾過装置３の水出口を形成し、フィルタープレート３３が開口に係合され上部箱体３１の下方に位置し、フィルタープレート３３、下部箱体３２の箱底および下部箱体３２の側壁で緩衝分流構造を形成し、濾過装置３が貯水タンク１内に配置され水出口が貯水タンク１の一方の内壁の近くに設けられる。上部箱体３１は、飲用トレイ２から戻った水流を受け、水流が水路３４に沿ってフィルタープレート３３に流入し、フィルタープレート３３を浸透して水流の濾過を行い、フィルタープレート３３を浸透した水流が下部箱体３２に流入し、下部箱体３２の水出口が貯水タンク１の一側の近くに設けられるので、水流が水出口から流出した後、貯水タンク１の内壁に沿って流下し、それにより、貯水タンク１内への水滴下による音が発生しない。
【００２６】
実施例３
本実施例は上記実施例の改良された実施態様であり、本実施例では、下部箱体３２の箱底に複数の第１の分流ブロック３５が垂直に間隔を置いて設けられ、第１の分流ブロック３５はすべて水出口から下部箱体３２に向かって延伸し、下部箱体３２の側壁に接続され、フィルタープレート３３が第１の分流ブロック３５の上端に配置され、ここで、コアンダ効果を利用して、水流がフィルタープレート３３を浸透した後、直接下部箱体３２の箱底に滴下せず、第１の分流ブロック３５の外壁に沿って流下するため、濾過装置３の内部の水滴音の発生を回避することができる。
【００２７】
下部箱体３２の箱底から貯水タンク１の側壁への水の流れをより円滑にするために、本実施例のより好ましい実施形態として、下部箱体３２の上端面が水出口の一側に向かって傾斜する傾斜面であり、水流が傾斜面に沿って自動的に流れる。
【００２８】
実施例４
本実施例は上記実施例の改良された実施態様であり、本実施例では、図７に示すように、飲用トレイ２の水戻し口２１の底壁に複数の第２の分流ブロック２３が下向きに設けられ、第２の分流ブロック２３は同様にコアンダ効果を利用する。具体的には、飲用トレイ２の背面の底壁に周囲リング２４が突出して設けられ、上部箱体３１の側壁が着脱可能に周囲リング２４に取り付けられ、飲用トレイ２底部に水戻し口２１が貫通して設けられ該水戻し口２１が上部箱体３１箱口の上方に位置し、第２の分流ブロック２３の一端が周囲リング２４に接続され、他端が水戻し口２１の縁部に接続される。飲用トレイ２から戻った水は、水戻し口２１から直接上部箱体３１に流れるではなく、第２の分流ブロック２３に沿って流れるため、上部箱体３１への水の流れによる水滴音の発生を回避することができる。
【００２９】
本考案で使用されるフィルタープレート３３は細長いフィルタープレートであるが、フィルタープレート３３の交換を容易にするために、フィルタープレート３３の水出口に近く一端に昇降ブロック３３１が設けられ、下部箱体３２底壁の昇降ブロック３３１に対向する位置に昇降ブロック３３１を収容するための退避溝３２１が設けられる。フィルタープレート３３を交換する際に、昇降ブロック３３１を介してフィルタープレート３３を上部箱体３１と下部箱体３２間で引き抜くだけでよい。
【００３０】
同時に、濾過装置３は、飲用トレイ２に着脱可能に接続され、濾過装置３は飲用トレイ２と一緒に取り出され、具体的には、飲用トレイ２の周囲リング２４の側壁に２つのバックル溝５１（図７参照）が対称的に設けられ、上部箱体３１の側壁に２つのバックルストリップ５２（図６参照）が設けられ、バックルストリップ５２がバックル溝５１に係合される。飲用トレイ２の上面に飲用トレイ２を持ち上げるのに便利なハンドル５３が設けられる。
【００３１】
実施例５
本実施例は上記実施例のより好ましい実施で態様あり、ペット飲用器具はハウジング６をさらに含み、ハウジング６は貯水タンク１の側壁および底部を覆い貯水タンク１に着脱可能に接続され、貯水タンク１に注水したり排出したりする場合、貯水タンク１を単独に取り出して対応の操作を行うことができ、そして、給水ポンプの電源に接続された回路に、回路とのオンオフを制御するための電気コネクタが設けられ、電気コネクタは貯水タンク１の外壁に設けられた電気コネクタプラグ４２（図４参照）とハウジング上端面に設けられ電気コネクタプラグ４２と協働する電気コネクタソケット６１（図３参照）を含み、給水ポンプが電気コネクタプラグ４２に電気的に接続され、電気コネクタソケット６１が電源プラグを介して電源に接続され、貯水タンク１がハウジング６に配置されると、電気コネクタプラグ４２が電気コネクタソケット６１に電気的に接続され、貯水タンク１を取り出して貯水タンク１とハウジング６を分離した場合、電気コネクタプラグ４２が電気コネクタソケット６１から分離されて電源がオフになり、そしてハウジング６の底部に電源コネクタ６３（図２参照）が設けられ、電源コネクタ６３が電源コードおよび電源プラグを介して電源に接続され、ペット飲用器具を使用する場合、電源コネクタ６３を電源に接続し、飲用水の貯水タンク１をハウジング６に配置するだけでよく、ペット飲用器具を使用しない場合は電源から電源プラグを抜くだけでよい。
【００３２】
貯水タンク内の水量を観察するために、ハウジング６の一側に透明な水位観察窓６２（図２参照）が設けられ、水位観察窓６２および貯水タンク１は透明なプラスチックで形成され、ハウジング６の水位観察窓６２から直接貯水タンク１中の水位を観察することができる。
【００３３】
以上、本考案の具体的な実施形態を説明したが、本考案の保護範囲はこれらに限定されなく、本考案の技術範囲内で、当業者によって容易に想到した変更や置換は、すべて本考案の保護範囲に含まれる。
【符号の説明】
【００３４】
１  貯水タンク
２  飲用トレイ
２１  水戻し口
２２  水入口
２３  第２の分流ブロック
２４  周囲リング
３  濾過装置
３１  上部箱体
３２  下部箱体
３３  フィルタープレート
３３１  昇降ブロック
３２１  退避溝
３４  水路
３５  第１の分流ブロック
４  給水ポンプ
４１  水管
４２  電気コネクタプラグ
５１  バックル溝
５２  バックルストリップ
５３  ハンドル
６  ハウジング
６１  電気コネクタソケット
６２  水位観察窓
６３  電源コネクタ
【図１】
0003227834.tif 000003
【図２】
0003227834.tif 000004
【図３】
0003227834.tif 000005
【図４】
0003227834.tif 000006
【図５】
0003227834.tif 000007
【図６】
0003227834.tif 000008
【図７】
0003227834.tif 000009